(57)【要約】      （修正有）【課題】貨幣が収納される収納部から貨幣が抜き取られるような不正行為が行われたり収納部の内部から貨幣が抜き取られることにより違算が発生したりすることを防止することができる貨幣処理機を提供する。【解決手段】貨幣処理機１は、貨幣を収納する収納部（例えば、硬貨収納部）が設けられ、筐体から引き出し可能となっている引出部（具体的には、内側筐体１０）と、引出部に取り付け可能となっており、回収されるべき貨幣が収納される回収部６０と、第１規制手段と、を備えており、第１規制手段は、回収部６０に貨幣を収納させている間は引出部の動作を規制する。【選択図】図４
2018112823.tif 000002
【特許請求の範囲】
【請求項１】
筐体と、
貨幣を収納する収納部が設けられ、前記筐体から引き出し可能となっている引出部と、
前記引出部に取り付け可能となっており、回収されるべき貨幣が収納される回収部と、
前記回収部に貨幣を収納させている間は前記引出部の動作を規制する第１規制手段と、
を備えた、貨幣処理機。
【請求項２】
前記第１規制手段は、前記引出部を前記筐体の内部でロックするロック機構を含む、請求項１記載の貨幣処理機。
【請求項３】
前記引出部は、前記筐体の内部に完全に収容された位置である収容位置、前記筐体の外部に途中まで引き出され、前記筐体の外部から前記収納部にアクセスすることができない第１引出位置、および前記第１引出位置から更に前記筐体の外部に引き出され、前記筐体の外部から前記収納部にアクセスすることが可能な第２引出位置の間で移動可能となっており、
前記第１規制手段は、前記引出部が前記第１引出位置に位置しているときに当該第１引出位置から移動することを規制するようになっている、請求項１または２記載の貨幣処理機。
【請求項４】
前記回収部が前記引出部に装着されているか否かを検知する装着検知部を更に備えた、請求項１乃至３のいずれか一項に記載の貨幣処理機。
【請求項５】
前記第１規制手段は、前記回収部が前記引出部に装着されていることが前記装着検知部により検知された場合に、前記回収部に貨幣を収納させている間は前記引出部の動作を規制するようになっている、請求項４記載の貨幣処理機。
【請求項６】
筐体と、
貨幣を収納する収納部が設けられ、前記筐体から引き出し可能となっている引出部と、
前記引出部に取り付け可能となっており、回収されるべき貨幣が収納される回収部と、
前記回収部が前記引出部に装着されているか否かを検知する装着検知部と、
前記回収部が前記引出部に装着されていることが前記装着検知部により検知されると前記引出部の動作を規制する第２規制手段と、
を備えた、貨幣処理機。
【発明の詳細な説明】
【技術分野】
【０００１】
本発明は、紙幣や硬貨等の貨幣の処理を行う貨幣処理機に関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置され、また、顧客が立ち入ることができないバックヤード領域には出納機等の入出金機が設置されるようになっている。ここで、フロント領域の精算所に設置される貨幣釣銭機は、商品と引き換えに顧客から店員に手渡された貨幣の入金処理を行うとともに、釣銭としての貨幣の出金処理を行うことができるようになっている。
【０００３】
また、特許文献１や特許文献２には、硬貨釣銭機において、回収されるべき硬貨が収納される払出回収袋が硬貨払出部の下方に取り付けられるような技術が開示されている。より詳細には、特許文献１や特許文献２に開示される硬貨釣銭機が机の上に載置されている場合には、筐体の内部から引出ユニットを手前側に途中まで引き出し、この引出ユニットの底面における手前側の領域に払出回収袋を取り付け、さらに硬貨払出部の近傍に設けられた切替部材を切り替えることにより、硬貨の回収処理が行われる際に、引出ユニットに設けられた硬貨収納部から繰り出された硬貨が硬貨払出部に送られずに払出回収袋に収納されるようになる。
【先行技術文献】
【特許文献】
【０００４】
【特許文献１】特許第５３７３００７号
【特許文献２】特許第４１０７５１０号
【発明の概要】
【発明が解決しようとする課題】
【０００５】
特許文献１や特許文献２に開示される硬貨釣銭機では、硬貨の回収処理を行うために、筐体の内部から引出ユニットを手前側に途中まで引き出し、この引出ユニットの底面における手前側の領域に払出回収袋を取り付けた後に、引出ユニットの前面に設けられた鍵穴にユニットキーを差し込んで保守位置に切り替える等により、筐体の内部から引出ユニットを更に引き出すことができるようになる。しかしながら、筐体の内部から引出ユニットが更に引き出されると、当該引出ユニットに設けられた硬貨収納部にアクセス可能となってしまい、硬貨収納部から硬貨が抜き取られるような不正行為が行われたり硬貨収納部から硬貨が抜き取られることにより違算が発生したりするおそれがある。
【０００６】
本発明は、このような点を考慮してなされたものであり、所定の条件が満たされた場合には引出部の動作を規制することにより、引出部に設けられた収納部から貨幣が抜き取られるような不正行為が行われたり収納部の内部から貨幣が抜き取られることにより違算が発生したりすることを防止することができる貨幣処理機を提供することを目的とする。
【課題を解決するための手段】
【０００７】
本発明の貨幣処理機は、筐体と、貨幣を収納する収納部が設けられ、前記筐体から引き出し可能となっている引出部と、前記引出部に取り付け可能となっており、回収されるべき貨幣が収納される回収部と、前記回収部に貨幣を収納させている間は前記引出部の動作を規制する第１規制手段と、を備えたことを特徴とする。
【０００８】
このような貨幣処理機によれば、回収部に貨幣を収納させている間は引出部の動作が規制されるようになっており、よって回収部に貨幣を収納させている途中で引出部に設けられた収納部から貨幣が抜き取られるような不正行為が行われたり収納部の内部から貨幣が抜き取られることにより違算が発生したりすることを防止することができる。
【０００９】
また、前記第１規制手段は、前記引出部を前記筐体の内部でロックするロック機構を含んでいでもよい。
【００１０】
本発明の貨幣処理機においては、前記引出部は、前記筐体の内部に完全に収容された位置である収容位置、前記筐体の外部に途中まで引き出され、前記筐体の外部から前記収納部にアクセスすることができない第１引出位置、および前記第１引出位置から更に前記筐体の外部に引き出され、前記筐体の外部から前記収納部にアクセスすることが可能な第２引出位置の間で移動可能となっており、前記第１規制手段は、前記引出部が前記第１引出位置に位置しているときに当該第１引出位置から移動することを規制するようになっていてもよい。
【００１１】
また、本発明の貨幣処理機は、前記回収部が前記引出部に装着されているか否かを検知する装着検知部を更に備えていてもよい。
【００１２】
この場合、前記第１規制手段は、前記回収部が前記引出部に装着されていることが前記装着検知部により検知された場合に、前記回収部に貨幣を収納させている間は前記引出部の動作を規制するようになっていてもよい。
【００１３】
また、本発明の貨幣処理機は、筐体と、貨幣を収納する収納部が設けられ、前記筐体から引き出し可能となっている引出部と、前記引出部に取り付け可能となっており、回収されるべき貨幣が収納される回収部と、前記回収部が前記引出部に装着されているか否かを検知する装着検知部と、前記回収部が前記引出部に装着されていることが前記装着検知部により検知されると前記引出部の動作を規制する第２規制手段と、を備えたことを特徴とする。
【００１４】
このような貨幣処理機によれば、回収部が引出部に装着されていることが装着検知部により検知されたときに引出部の動作が規制されるようになっており、よって回収部が引出部に装着されている間は引出部に設けられた収納部から貨幣が抜き取られるような不正行為が行われたり収納部の内部から貨幣が抜き取られることにより違算が発生したりすることを防止することができる。
【発明の効果】
【００１５】
本発明の貨幣処理機によれば、貨幣が収納される収納部から貨幣が抜き取られるような不正行為が行われたり収納部の内部から貨幣が抜き取られることにより違算が発生したりすることを防止することができる。
【図面の簡単な説明】
【００１６】
【図１】本発明の実施の形態による貨幣処理機の構成を示す斜視図である。
【図２】図１に示す貨幣処理装置に設けられた硬貨処理装置の内部を上方から鉛直方向下方に向かって見たときの構成を示す構成図である。
【図３】図２に示す硬貨処理装置におけるリジェクト部および硬貨収納部の構成を示す側面図である。
【図４】図２に示す硬貨処理装置の内側筐体を第１引出位置まで引き出した時の構成を示す斜視図である。
【図５】図２に示す硬貨処理装置の内側筐体の収容位置、第１引出位置および第２引出位置を説明するための説明図である。
【図６】図２に示す硬貨処理装置における制御系の構成を示す機能ブロック図である。
【図７】図２に示す硬貨処理装置の他の例における制御系の構成を示す機能ブロック図である。
【発明を実施するための形態】
【００１７】
以下、図面を参照して本発明の実施の形態について説明する。図１乃至図７は、本実施の形態に係る貨幣処理機を示す図である。このうち、図１は、本実施の形態による貨幣処理機の構成を示す斜視図であり、図２は、図１に示す貨幣処理装置に設けられた硬貨処理装置の内部を上方から鉛直方向下方に向かって見たときの構成を示す構成図である。また、図３は、図２に示す硬貨処理装置におけるリジェクト部および硬貨収納部の構成を示す側面図であり、図４は、図２に示す硬貨処理装置の内側筐体を第１引出位置まで引き出した時の構成を示す斜視図である。また、図５は、図２に示す硬貨処理装置の内側筐体の収容位置、第１引出位置および第２引出位置を説明するための説明図であり、図６は、図２に示す硬貨処理装置における制御系の構成を示す機能ブロック図である。また、図７は、図２に示す硬貨処理装置の他の例における制御系の構成を示す機能ブロック図である。なお、図３において、本実施の形態による硬貨処理装置により処理される硬貨を参照符合Ｃで示す。
【００１８】
コンビニエンスストアやスーパーマーケット等の商業施設の店舗において、顧客が立ち入ることができるフロント領域には様々な商品が陳列された商品棚が設置されているとともに、このフロント領域の精算所には図１に示すような貨幣処理機１（貨幣釣銭機）やＰＯＳレジスタが設置されている。顧客がこのような精算所で精算処理を行う際に、店員は、顧客から受け取った商品の代金としての貨幣を貨幣釣銭機としての貨幣処理機１に入金したり、釣銭としての貨幣を貨幣処理機１から出金して顧客に返却したりするようになっている。また、ＰＯＳレジスタにより、顧客が購入した商品に係る情報や貨幣処理機１に収納されている貨幣に係る情報等の管理が行われるようになっている。また、このような店舗における顧客の立ち入りが禁止されたバックヤード領域（具体的には、例えば入金室）には、貨幣処理機１から回収された売上金としての貨幣を入金する出納機等の貨幣入出金機が設置されている。また、貨幣処理機１において釣銭としての貨幣が不足する場合には、貨幣入出金機から釣銭補充金としての貨幣を出金し、この貨幣入出金機から出金された釣銭補充金としての貨幣を貨幣処理機１に補充することができるようになっている。このような貨幣処理機１および当該貨幣処理機１を構成する硬貨処理装置２の詳細について図１乃至図３を用いて説明する。
【００１９】
図１等に示すように、本実施の形態による貨幣処理機１は、略直方体形状の外側筐体１ａと、左右に並ぶよう配置され、外側筐体１ａからそれぞれ手前側に引出可能となっている硬貨処理装置２および紙幣処理装置３とを備えており、硬貨処理装置２や紙幣処理装置３の上方にはＰＯＳレジスタ（図示せず）が載置されるようになっている。硬貨処理装置２および紙幣処理装置３は、それぞれ、硬貨や紙幣の入金処理および出金処理を行うようになっている。以下、硬貨処理装置２の構成の詳細について述べる。なお、紙幣処理装置３の詳細については説明を省略する。
【００２０】
図２等に示すように、硬貨処理装置２は、略直方体形状の内側筐体１０と、内側筐体１０の前面側に設けられ、硬貨の入金処理を行う際に操作者によって硬貨が投入される硬貨受入部１２と、内側筐体１０の前面側に設けられ、硬貨の出金処理を行う際に硬貨が払い出される硬貨払出部３６と、内側筐体１０の内部で硬貨を金種毎に収納する複数の硬貨収納部３０ａ〜３０ｆとを備えている。また、硬貨処理装置２の内側筐体１０は外側筐体１ａから手前側に引き出し可能となっている。このように、内側筐体１０は、外側筐体１ａから引き出し可能な引出部として機能する。また、複数の硬貨収納部３０ａ〜３０ｆは内側筐体１０の幅方向（すなわち、図２の左右方向）に沿って並列に並ぶよう配置されており、各硬貨収納部３０ａ〜３０ｆにはそれぞれ５０円硬貨、５円硬貨、５００円硬貨、１００円硬貨、１０円硬貨および１円硬貨がこの順で収納されるようになっている。
【００２１】
硬貨受入部１２は、硬貨投入口を介して受け入れた硬貨を１層１列状態で１枚ずつ内側筐体１０内に取り込むようになっている。また、硬貨受入部１２には残留検知センサ１３が設けられており、硬貨受入部１２に受け入れられた硬貨は残留検知センサ１３によって検知されるようになっている。また、硬貨受入部１２には、図２における左方向に移動する繰出ベルト１４ａ等からなる繰出部１４が設けられており、硬貨受入部１２に受け入れられた硬貨が残留検知センサ１３によって検知されるとこの繰出部１４が駆動されることにより当該繰出部１４によって硬貨が内側筐体１０の内部に１枚ずつ繰り出されるようになっている。また、図２に示すように、硬貨受入部１２には、繰出部１４により内側筐体１０の内部に繰り出された硬貨を１層１列状態で搬送する入金搬送部１６が接続されている。
【００２２】
図３に示すように、入金搬送部１６は、略水平方向に延びる搬送面１６ｃを有しており、この搬送面１６ｃ上で硬貨は略水平方向の姿勢で搬送されるようになっている。また、入金搬送部１６は、複数のプーリ１６ｂにより張架された循環ベルト１６ａを有しており、繰出部１４により内側筐体１０の内部に繰り出された硬貨は循環ベルト１６ａとの間で働く摩擦力により内側筐体１０の内部で搬送されるようになっている。具体的には、循環ベルト１６ａは搬送面１６ｃからわずかな大きさの隙間（具体的には、概ね硬貨１枚分の厚さと略同一の大きさの隙間）を隔てて搬送面１６ｃの上方に配置されている。また、複数のプーリ１６ｂのうちある一つのプーリ１６ｂには駆動モータが接続されており、当該駆動モータによりプーリ１６ｂが回転させられることにより循環ベルト１６ａは図２における反時計回りの方向に循環移動するようになっている。また、循環ベルト１６ａの下端部には搬送面１６ｃ上の硬貨を押動するための押動ピン（図示せず）が等間隔で複数設けられており、循環ベルト１６ａが図２における反時計回りの方向に循環移動すると、搬送面１６ｃ上の硬貨が押動ピンにより内側筐体１０の奥行き方向に押動されるようになる。このようにして、繰出部１４により内側筐体１０の内部に繰り出された硬貨は内側筐体１０の内部における右側の領域において搬送面１６ｃ上で略水平方向の姿勢で当該内側筐体１０の奥行き方向に搬送されるようになる。
【００２３】
図２に示すように、入金搬送部１６の途中には、硬貨の金種、真偽、正損、表裏、新旧、搬送状態等の識別を行う識別部１８が設けられている。また、識別部１８により正常な硬貨ではないと識別された硬貨や識別部１８により識別することができなかった硬貨を入金搬送部１６の搬送面１６ｃから分岐させて後述するリジェクト口２６により内側筐体１０の外部に排出するリジェクト部２４が設けられている。図３に示すように、リジェクト部２４は、硬貨を立位状態で自重により送るリジェクトシュート２４ａを有している。なお、図３において、入金搬送部１６により搬送される硬貨やリジェクトシュート２４ａによりリジェクト口２６に立位状態で送られる硬貨を参照符合Ｃで示している。ここで、リジェクトシュート２４ａは水平方向に対して斜め下方に傾斜しており、このリジェクトシュート２４ａの下流側の端部には、内側筐体１０の前面側に設けられたリジェクト口２６が設けられている。リジェクト口２６は内側筐体１０の前面側からアクセス可能となっており、リジェクトシュート２４ａからリジェクト口２６に送られた硬貨（リジェクト硬貨）を操作者は内側筐体１０の前面側から当該内側筐体１０の外部に取り出して硬貨受入部１２に再投入等することができるようになる。また、リジェクトシュート２４ａの上流側端部には、入金搬送部１６からリジェクトシュート２４ａへの硬貨の入口が設けられている。また、リジェクト部２４は、識別部１８により正常な硬貨ではないと識別された硬貨や識別部１８により識別することができなかった硬貨を入金搬送部１６の搬送面１６ｃから分岐させるためのゲート部材２５を有している。
【００２４】
図３に示すように、ゲート部材２５は略水平方向に延びる軸２５ａを有しており、この軸２５ａを中心として揺動するようになっている。このような軸２５ａは、入金搬送部１６による硬貨の搬送方向の下流側の端部に配置されている。また、ゲート部材２５は、図３において実線で示すような、略水平方向の姿勢となる閉止位置と、図３において二点鎖線で示すような、このような閉止位置から上方に突出する分岐位置との間で軸２５ａを中心として揺動するようになっており、ゲート部材２５が閉止位置に位置しているときには、このゲート部材２５の上面２５ｂは入金搬送部１６の搬送面１６ｃと略同一平面上に位置するようになる。このことにより、ゲート部材２５が閉止位置に位置しているときには、入金搬送部１６における搬送面１６ｃ上で搬送される硬貨は当該ゲート部材２５によりリジェクト部２４のリジェクトシュート２４ａに分岐されずにゲート部材２５の上面２５ｂを通って各金種別分岐部２２に送られるようになる。一方、ゲート部材２５が分岐位置に位置しているときには、入金搬送部１６における搬送面１６ｃ上で搬送される硬貨は当該ゲート部材２５によって入金搬送部１６からリジェクト部２４のリジェクトシュート２４ａに分岐され、このリジェクトシュート２４ａによりリジェクト口２６に送られるようになる。
【００２５】
図２に示すように、入金搬送部１６による硬貨の搬送方向におけるゲート部材２５の更に下流側には複数の金種別分岐部２２が各硬貨収納部３０ａ〜３０ｅに対応して直列に並ぶよう設けられている。具体的には、識別部１８により識別された硬貨の金種が５０円である場合には、図２における最も右側に位置する金種別分岐部２２により入金搬送部１６から当該５０円硬貨が分岐させられて硬貨収納部３０ａに送られるようになる。同様に、識別部１８により識別された硬貨の金種が５円である場合には、図２における右側から２番目に位置する金種別分岐部２２により入金搬送部１６から当該５円硬貨が分岐させられて硬貨収納部３０ｂに送られるようになる。また、識別部１８により識別された硬貨の金種が５００円である場合には、図２における右側から３番目に位置する金種別分岐部２２により入金搬送部１６から当該５００円硬貨が分岐させられて硬貨収納部３０ｃに送られるようになる。また、識別部１８により識別された硬貨の金種が１００円である場合には、図２における右側から４番目に位置する金種別分岐部２２により入金搬送部１６から当該１００円硬貨が分岐させられて硬貨収納部３０ｄに送られるようになる。また、識別部１８により識別された硬貨の金種が１０円である場合には、図２における右側から５番目に位置する金種別分岐部２２により入金搬送部１６から当該１０円硬貨が分岐させられて硬貨収納部３０ｅに送られるようになる。また、識別部１８により識別された硬貨の金種が１円である場合には、図２における右側から６番目に位置する金種別分岐部２２により入金搬送部１６から当該１円硬貨が分岐させられて硬貨収納部３０ｆに送られるようになる。このようにして識別部１８により識別された硬貨が各硬貨収納部３０ａ〜３０ｆに金種別に振り分けられてこれらの硬貨収納部３０ａ〜３０ｆに収納されるようになる。
【００２６】
また、図２に示すように、入金搬送部１６による硬貨の搬送方向における各金種別分岐部２２の上流側には通過検知センサ２３が設けられており、入金搬送部１６により搬送される硬貨は当該通過検知センサ２３により検知されるようになっている。また、入金搬送部１６における奥行き方向に延びる搬送路にも通過検知センサ２３が設けられている。また、金種別分岐部２２は、当該金種別分岐部２２により入金搬送部１６から分岐されるべき硬貨が、金種別分岐部２２よりも２つ前に位置する通過検知センサ２３により検知されたときに、入金搬送部１６から硬貨を分岐させる動作を開始するようになっている。
【００２７】
図３に示すように、各硬貨収納部３０ａ〜３０ｆは、複数の硬貨が収納される硬貨収納領域３０ｍを有している。また、各硬貨収納部３０ａ〜３０ｆには、硬貨収納領域３０ｍに収容されている硬貨を当該硬貨収納領域３０ｍから１枚ずつ繰り出す繰出部４０が設けられている。繰出部４０により各硬貨収納部３０ａ〜３０ｆの硬貨収納領域３０ｍから繰り出された硬貨は硬貨払出部３６に送られ、この硬貨払出部３６に集積されるようになっている。より詳細には、図２に示すように、６つの硬貨収納部３０ａ〜３０ｆのうち右から３つの硬貨収納部３０ａ〜３０ｃの手前側には、硬貨払出部３６に向かって斜め下方にわずかに傾斜している硬貨案内溝３４が形成されており、繰出部４０により硬貨収納部３０ａ〜３０ｃの硬貨収納領域３０ｍから繰り出された硬貨はこの硬貨案内溝３４に立位状態で入り、硬貨案内溝３４において図２における左方向に硬貨が立位状態で転がりながら移動することにより硬貨払出部３６に送られるようになる。一方、６つの硬貨収納部３０ａ〜３０ｆのうち左から３つの硬貨収納部３０ｄ〜３０ｆの硬貨収納領域３０ｍから繰出部４０により繰り出された硬貨は硬貨払出部３６に直接送られるようになる。また、硬貨払出部３６は内側筐体１０の外部に露出しており、操作者はこの硬貨払出部３６に集積されている硬貨を手で掴んで内側筐体１０の外部に取り出すことができるようになっている。
【００２８】
また、図２に示すように、硬貨払出部３６には略正円形状の貫通孔３６ａが設けられているとともに、貫通孔３６ａには、当該貫通孔３６ａと略同一の直径を有する蓋部材３６ｂが着脱自在に取り付けられている。より詳細には、蓋部材３６ｂが硬貨払出部３６に取り付けられているときには、貫通孔３６ａは蓋部材３６ｂにより塞がれるようになっており、蓋部材３６ｂが硬貨払出部３６から取り外されているときには、貫通孔３６ａは露出するようになっている。また、貫通孔３６ａは、各硬貨収納部３０ａ〜３０ｆに収納されている硬貨の直径よりも大きな直径を有している。このことにより、硬貨払出部３６から蓋部材３６ｂを取り外すことにより、硬貨の回収処理を行う際に、硬貨払出部３６に払い出された硬貨を貫通孔３６ａを通して回収部６０（後述）に送ることができるようになっている。
【００２９】
回収部６０は、硬貨処理装置２から回収されるべき硬貨（すなわち、各硬貨収納部３０ａ〜３０ｆに収納されている硬貨）が収納されるものである。また、硬貨の回収処理とは、各硬貨収納部３０ａ〜３０ｆから繰り出され、回収部６０に収納された硬貨が、回収部６０ごと警送会社の警備員等により回収されて管理センター等に運搬される処理のことをいう。図４に示すように、回収部６０は、樹脂等から構成される枠部６２と、当該枠部６２に取り付けられた布等からなる袋部６４とを有している。また、枠部６２には取手６２ａが設けられている。また、袋部６４には、貫通孔３６ａを通して回収部６０に送られた硬貨が収納されるようになっている。
【００３０】
また、回収部６０には、当該回収部６０を硬貨処理装置２の内側筐体１０に取り付けるための取付部６６が設けられている（図４参照）。一方で、硬貨処理装置２の内側筐体１０における硬貨払出部３６の下方には被取付部３８（図５（ｂ）参照）が設けられている。そして、取付部６６を被取付部３８に取り付けることにより、引出部として機能する内側筐体１０に回収部６０を取り付けることができるようになっている（図５（ｂ）参照）。
【００３１】
なお、図示しないレール等のスライド部材により被取付部３８を手前側にスライド可能となるように構成してもよい。この場合には、被取付部３８を手前側にスライドさせた後に、回収部６０に設けられた取付部６６を被取付部３８に取り付けることができるようになり、よって硬貨の回収処理を行う際の利便性をより向上させることができるようになる。
【００３２】
また、硬貨払出部３６に払い出された硬貨を回収部６０に送る経路を作るその他の方法として、硬貨払出部３６に貫通孔３６ａを設ける代わりに、各硬貨収納部３０ａ〜３０ｆから払い出された硬貨を直接回収部６０に送るようにしてもよい。この場合には、硬貨が払い出される経路を硬貨払出部３６から回収部６０に切り替える切替部材を設けるとともに、回収部６０が内側筐体１０に取り付けられたときにこの切替部材が動作することにより硬貨が払い出される経路を変更するようにしてもよい。
【００３３】
また、本実施の形態の硬貨処理装置２には、当該硬貨処理装置２の各構成部材の制御を行う制御部５０が設けられている。より詳細には、図６に示すように、制御部５０には、繰出部１４、残留検知センサ１３、入金搬送部１６、識別部１８、各金種別分岐部２２、各通過検知センサ２３、リジェクト部２４、各繰出部４０等がそれぞれ接続されている。そして、識別部１８による硬貨の識別結果に係る信号や残留検知センサ１３による硬貨の検知結果に係る信号、各通過検知センサ２３による硬貨の検知結果に係る信号等が制御部５０に送られるとともに、制御部５０は硬貨処理装置２の各構成部材に指令信号を送ることによりこれらの構成部材の動作を制御するようになっている。
【００３４】
また、図６に示すように、制御部５０には操作表示部５２、記憶部５４、印字部５６および通信インターフェース部５８がそれぞれ接続されている。操作表示部５２は例えばタッチパネル等からなり、硬貨処理装置２における硬貨の入金処理や出金処理等の処理状況や、各硬貨収納部３０ａ〜３０ｆに収納されている硬貨の在高等に関する情報が操作表示部５２に表示されるようになっている。また、操作者は操作表示部５２を操作することにより制御部５０に対して様々な指令を与えることができるようになっている。記憶部５４には、硬貨処理装置２における硬貨の入金処理や出金処理等の処理履歴や、各硬貨収納部３０ａ〜３０ｆに収納されている硬貨の在高等に関する情報が記憶されるようになっている。また、印字部５６は、硬貨処理装置２における硬貨の入金処理や出金処理等の処理履歴や、各硬貨収納部３０ａ〜３０ｆに収納されている硬貨の在高等に関する情報をレシート等に印字するようになっている。また、制御部５０は通信インターフェース部５８を介して本実施の形態による硬貨処理装置２とは別に設けられた外部装置（具体的には、例えばＰＯＳレジスタや紙幣処理装置３）に対して信号の送受信を行うことができるようになっている。
【００３５】
また、図６に示すように、硬貨処理装置２には、回収部６０が内側筐体１０に取り付けられたことを検知するための装着検知部３９が設けられている。装着検知部３９は、例えば光学センサから構成されており、この光学センサの光軸が回収部６０の構成部材によって遮られることによって回収部６０が内側筐体１０に装着されたことが検知されるようになっている。
【００３６】
また、図６に示すように、硬貨処理装置２には、回収部６０に取り付けられたＩＣタグ６８（図４参照）から情報を読み取るための読取部３９ａが設けられており、当該読取部３９ａにより読み取られた情報に基づいて、内側筐体１０に取り付けられた回収部６０が硬貨処理装置２の機種に適合する回収部６０であるか否か（すなわち、互換性の無い他の機種（例えば、旧機種）に用いられる回収部６０が内側筐体１０に取り付けられているか否か）と、内側筐体１０に取り付けられた回収部６０に収納されるべき硬貨の金種等とが検知されるようになっている。具体的には、回収部６０に取り付けられたＩＣタグ６８に、回収部６０に適合する硬貨処理装置２の機種の情報と、回収部６０に収納されるべき硬貨の金種に関する情報等とが記憶されている。また、読取部３９ａは、回収部６０に取り付けられたＩＣタグ６８に書き込まれた情報を読み取るようになっており、読取部３９ａにより読み取られた情報は制御部５０に送られるようになっている。なお、硬貨処理装置２による硬貨の回収処理は各金種毎に行う態様に限定されることはなく、全ての金種の硬貨を一括して回収することもできるようになっている。
【００３７】
また、硬貨処理装置２には、回収部６０に硬貨を収納させている間は回収部６０を取り外すことを規制する回収部ロック機構９０が設けられており、回収部６０に硬貨を収納させている間は、回収部６０を内側筐体１０から取り外すことができないようになっている。このことにより、硬貨を回収部６０に収納させている間に操作者が誤って回収部６０にぶつかってしまった場合等であっても、回収部６０が内側筐体１０から取り外されてしまうことが防止できるようになる。
【００３８】
また、ＩＣタグ６８に情報を書き込むための書込部（図示せず）が設けられていてもよい。この場合には、硬貨の回収処理の際に回収部６０に収納された硬貨の金種毎の枚数等の情報を書込部がＩＣタグ６８に書き込むようになっていてもよい。また、ＩＣタグ６８に書き込まれた情報が読取部３９ａにより読み取られたときに、回収部６０が内側筐体１０に取り付けられたことが検知されるようになっていてもよい。
【００３９】
また、回収部６０にＩＣタグ６８を取り付ける代わりに、回収部６０の外面にバーコードや二次元コード等を形成し、読取部３９ａとしてバーコードリーダ等を設けることにより、内側筐体１０に取り付けられた回収部６０に適合する硬貨処理装置２の機種の情報と、内側筐体１０に取り付けられた回収部６０に収納されるべき硬貨の金種についての情報等とを読取部３９ａに読み取らせるようにしてもよい。この場合には、回収部６０にＩＣタグ等を設ける必要が無くなるため、回収部６０をより低コストで作製することができるようになる。
【００４０】
また、回収部６０に複数の穴等を設けるとともに、読取部３９ａを複数の光学センサから構成することにより、回収部６０に関する上記の情報を検知するようにしてもよい。具体的には、例えば各金種に対応する回収部６０に１または複数の穴を設け、発光素子により発せられた光が受光素子により受けられたか否かにより、回収部６０に関する上記の情報を検知するようにする。より詳細には、回収部６０の所定の箇所に位置する穴に対応する光学センサの受光素子のみが光を受けた場合に、回収部６０に収納されるべき硬貨が１円硬貨であることを検知するようにする。また、例えば、回収部６０の所定の箇所に位置する２つの穴に対応する光学センサの受光素子のみが光を受けた場合に、回収部６０に収納されるべき硬貨が５円硬貨であることを検知するようにする。このことにより、回収部６０にＩＣタグ６８やバーコード等を設けることなく、回収部６０に関する上記の情報を検知することができるようになる。
【００４１】
なお、硬貨の金種は全部で６種類（具体的には、１円硬貨、５円硬貨、１０円硬貨、５０円硬貨、１００円硬貨および５００円硬貨）であるため、回収部６０の所定箇所に３つの穴を設けることにより、穴の位置や数の組み合わせで、６通りの金種を割り当てることができる。また、硬貨処理装置２から一度に全ての金種の硬貨を回収する場合には、全ての金種の硬貨を収納可能な回収部６０として、例えば穴のない回収部６０を割り当てるようにしてもよい。
【００４２】
上記のような機能は、回収部６０の所定の箇所に複数の突起等の遮光物を設けた場合であっても同様である。すなわち、回収部６０の所定の箇所に位置する遮光物に対応する光学センサの受光素子のみが光を受けなかった場合に、回収部６０に収納されるべき硬貨が例えば１円硬貨であることを検知するようにする。この場合であっても、回収部６０にＩＣタグ６８やバーコード等を設けることなく、回収部６０に関する上記の情報を検知することができるようになる。また、回収部６０に穴を複数設けるのと同様に、回収部６０の所定箇所に３つの遮光物を設けることにより、遮光物の位置や数の組み合わせで、６通りの金種を割り当てることができる。また、硬貨処理装置２から一度に全ての金種の硬貨を回収する場合には、全ての金種の硬貨を収納可能な回収部６０として、例えば遮光物のない回収部６０を割り当てるようにしてもよい。
【００４３】
また、本実施の形態による硬貨処理装置２は、読取部３９ａによりＩＣタグ６８から読み取られた情報に基づいて、内側筐体１０に取り付けられた回収部６０が硬貨処理装置２の機種に適合する回収部６０でないことが検知されたときに、このことを操作者に報知するようになっている。具体的には、この報知は、硬貨処理装置２に設けられた操作表示部５２による警告メッセージの表示やスピーカーから発せられる音により行われるようになっている。このことにより、硬貨処理装置２に適合しない回収部６０が内側筐体１０に取り付けられた状態において、硬貨の回収処理が行われてしまうことを防ぐことができるようになる。なお、硬貨処理装置２に適合しない回収部６０が内側筐体１０に取り付けられたときに、硬貨の回収処理の指令を受け付けないようにしてもよい。この場合には、操作者が、硬貨処理装置２に適合しない回収部６０が内側筐体１０に取り付けられた旨の報知に気が付かない場合であっても、硬貨処理装置２に適合しない回収部６０が内側筐体１０に取り付けられた状態において、硬貨の回収処理が行われてしまうことを防ぐことができるようになる。
【００４４】
ここで、従来の硬貨処理装置においては、旧機種の硬貨処理装置のための回収部を、旧機種の回収部には適合しない硬貨処理装置（例えば、新機種の硬貨処理装置）に取り付けた場合であっても、硬貨の回収処理を行うことができるようになっていた。また、このとき、旧機種の回収部の形状によっては、硬貨の回収処理を行う際に全ての硬貨が回収部に収納されず、一部の硬貨が硬貨払出部からこぼれ落ちてしまうことも起こりうる状況であった。そして、硬貨の回収処理時に回収部に収納されずに床にこぼれ落ちた硬貨があった場合には、操作者は、この床にこぼれ落ちた硬貨を手で拾った後に回収部に収納しなければならないため、硬貨の回収処理の効率が悪くなってしまうという問題があった。さらに、操作者がこぼれ落ちた硬貨に気が付かずに硬貨の回収処理を終えてしまった場合には、違算等が発生してしまうという問題があった。これに対し、本実施の形態による硬貨処理装置２においては、例えば旧機種の回収部など、硬貨処理装置２に適合しない回収部が内側筐体１０に取り付けられた場合には、その旨を操作者に報知するようになっているため、上述したような問題を解決することができ、よって硬貨の回収処理をより効率化することができるようになっている。
【００４５】
また、操作者に対して報知を行うために操作表示部５２やスピーカーを用いる代わりに、あるいは操作表示部５２やスピーカーを用いるとともに、硬貨処理装置２にＬＥＤランプ等を設け、このＬＥＤランプ等の点灯・点滅等により操作者に対して報知が行われるようになっていてもよい。また、貨幣処理機１がＰＯＳレジスタ等と接続された状態において用いられる場合には、硬貨処理装置２に適合しない回収部６０が取り付けられた旨をＰＯＳレジスタ等に設けられたディスプレイ等の表示部にも表示するようになっていてもよい。
【００４６】
また、図１に示すように、硬貨処理装置２には錠部２ａが設けられており、当該錠部２ａの鍵穴２ｂには鍵を差し込むことができるようになっている。また、鍵穴２ｂに差し込んだ鍵を水平方向（すなわち、貨幣処理機１の奥行き方向）に延びる軸を中心として回転させることにより、硬貨処理装置２の機能を切り替えることができるようになっている。具体的には、硬貨処理装置２を貨幣釣銭機として動作させるときの登録モードと、硬貨の回収処理等を行うときの管理モードと、硬貨処理装置２の保守・点検等を行うときの保守・点検モードとの間で硬貨処理装置２の機能を変更することができるようになっている。
【００４７】
また、上述したように、硬貨処理装置２の内側筐体１０は外側筐体１ａから手前側に引き出し可能となっている。より詳細には、図５に示すように、内側筐体１０は、外側筐体１ａの内部に内側筐体１０が最奥まで収容された位置である収容位置（図５（ａ））と、外側筐体１ａの途中まで引き出され、外側筐体１ａの外部から各硬貨収納部３０ａ〜３０ｆにアクセスすることができない第１引出位置（図５（ｂ））と、この第１引出位置から更に外側筐体１ａの外部に引き出され、外側筐体１ａの外部から各硬貨収納部３０ａ〜３０ｆにアクセスすることが可能な第２引出位置（図５（ｃ））との間でスライド可能となるよう構成されている。このような構成は、例えば、図示しないレール部材等を用いて内側筐体１０をスライド自在となるよう外側筐体１ａに取り付けることにより実現することができる。
【００４８】
なお、硬貨処理装置２から硬貨を回収する際には、通常、内側筐体１０を第１引出位置まで引き出してから回収部６０を内側筐体１０に取り付け、硬貨の回収処理を行うようになっている（図５（ｂ）参照）。このことについて、図４を用いて具体的に説明する。
【００４９】
本実施の形態による貨幣処理機１は、レジカウンター等の平らな載置面を有する載置板（図４において参照符号Ａで表示）に載置されて用いられることが多い。このため、内側筐体１０が収容位置に位置している状態においては、レジカウンター等の載置板が妨げとなり、そのままでは硬貨払出部３６の下方に回収部６０を取り付けることができない。このため、通常は、内側筐体１０を外側筐体１ａから第１引出位置まで引き出した後に回収部６０を内側筐体１０に取り付けて硬貨の回収処理を行うようになっている。一方で、レジカウンター等の載置板に回収部６０を取り付けるための切り欠き等が設けられている場合には、内側筐体１０が収容位置にある場合であっても、回収部６０を内側筐体１０に取り付け、硬貨の回収処理を行うことができるようになっている。すなわち、本実施の形態による貨幣処理機１は、内側筐体１０を第１引出位置まで引き出さなければ硬貨の回収処理等を行えないようになっているのではなく、内側筐体１０が収容位置に位置している場合であっても、第１引出位置に位置している場合であっても、硬貨の回収処理を行うことができるようになっている。
【００５０】
また、図６に示すように、硬貨処理装置２には第１規制手段７０が設けられており、当該第１規制手段７０は、内側筐体１０が外側筐体１ａに対して引き出されてしまうことを規制するとともに、内側筐体１０が外側筐体１ａに対して押し込まれてしまうことを規制するようになっている。具体的には、第１規制手段７０は、ロック機構７２を有しており、当該ロック機構７２は、内側筐体１０を外側筐体１ａに対してロックするようになっている。また、ロック機構７２による内側筐体１０のロックは、硬貨処理装置２に設けられた錠部２ａの鍵穴２ｂに差し込まれた鍵により解除することができるようになっている。なお、後述するように、ロック機構７２による内側筐体１０のロックは、鍵により選択される硬貨処理装置２の機能（具体的には、モード）によって異なった態様で解除されるようになっている。
【００５１】
また、ロック機構７２は、例えばリモコン等の外部装置により硬貨処理装置２の外部からロック機構７２によるロックを解除する旨の指令が与えられたときに内側筐体１０のロックを解除するようになっていてもよい。
【００５２】
また、本実施の形態による硬貨処理装置２においては、ロック機構７２による内側筐体１０のロックが解除されたときに、内側筐体１０を外側筐体１ａに対して移動させることができるようになっている。このことについて、登録モードが選択されている硬貨処理装置２において内側筐体１０が収容位置にある場合を例として以下に説明する。
【００５３】
硬貨処理装置２において登録モードが選択されているとともに、内側筐体１０が外側筐体１ａ内において収容位置にあるとき（図５（ａ）参照）、内側筐体１０は、外側筐体１ａの内部でロック機構７２によりロックされている。そして、このロック機構７２による内側筐体１０のロックは、硬貨処理装置２の状態を鍵により登録モードから他のモード（すなわち、管理モードあるいは保守・点検モード）に切り替えたときに解除されるようになっている。
【００５４】
より詳細には、硬貨の回収処理を行うため、鍵を回すことにより硬貨処理装置２を登録モードから硬貨の回収処理を行う管理モードに切り替えたときに、内側筐体１０に対するロック機構７２によるロックが解除される。このことにより、操作者は、内側筐体１０を第１引出位置まで引き出すことができるようになる。また、このとき、内側筐体１０を引き出せるのは第１引出位置までであり、当該内側筐体１０を第２引出位置まで引き出せるようにはなっていない。すなわち、管理モードにある硬貨処理装置２は、硬貨の回収処理を行うときにレジカウンター等の載置板に妨げられることなく回収部６０を内側筐体１０に取り付けるために内側筐体１０を引き出すことができるようになっているのであって、各硬貨収納部３０ａ〜３０ｆに収納されている硬貨に直接アクセスすることができる第２引出位置まで内側筐体１０を引き出すことができるようにはなっていない。
【００５５】
これに対し、鍵を回すことにより硬貨処理装置２を登録モードから保守・点検モードに切り替えることによりロック機構７２によるロックが解除されたときには、操作者は、内側筐体１０を第２引出位置まで引き出すことができるようになる。保守・点検モードは、硬貨処理装置２の硬貨詰まり等のエラーが発生した場合のエラー解除や、硬貨処理装置２のメンテナンス等を行うときに用いるモードであり、このモードにおいては、硬貨処理装置２の各硬貨収納部３０ａ〜３０ｆにアクセスする必要がある場合があるからである。
【００５６】
また、硬貨処理装置２に収納されている硬貨を回収部６０に収納させている間は、内側筐体１０に対するロック機構７２によるロックが解除されないようになっている。具体的には、硬貨処理装置２に収納されている硬貨を回収部６０に収納させている間に、鍵により硬貨処理装置２を保守・点検モードに切り替えた場合であっても、ロック機構７２による内側筐体１０のロックは解除されるようにはなっていない。また、硬貨処理装置２に収納されている硬貨を回収部６０に収納させている間に、リモコン等の外部装置から硬貨処理装置２に対しロック機構７２によるロックを解除する旨の指令を与えた場合であっても、ロック機構７２による内側筐体１０のロックは解除されるようにはなっていない。すなわち、第１規制手段７０は、硬貨処理装置２に収納されている硬貨を回収部６０に収納させている間は、外側筐体１ａに対する内側筐体１０の動作を規制するようになっている。このことにより、硬貨の回収処理を行う際に、各硬貨収納部３０ａ〜３０ｆから硬貨が抜き取られるような不正行為が行われたり各硬貨収納部３０ａ〜３０ｆの内部から硬貨が抜き取られることにより違算が発生したりすることを防止することができるようになる。
【００５７】
また、硬貨処理装置２に収納されている硬貨を回収部６０に収納させている間に硬貨詰まり等のエラーが発生した場合には、硬貨処理装置２は、ロック機構７２による内側筐体１０のロックを解除する旨の指令を受け付けるようになっている。具体的には、硬貨の回収処理中に硬貨詰まり等のエラーが発生した場合には、鍵により硬貨処理装置２を保守・点検モードに切り替えるか、リモコン等の外部装置によりロックを解除する旨の解除の指令を硬貨処理装置２に与えることにより、内側筐体１０のロックを解除することができ、よって内側筐体１０を外側筐体１ａから引き出すことができるようになっている。
【００５８】
なお、上述したように、硬貨処理装置２に収納されている硬貨を回収部６０に収納させている間は、回収部ロック機構９０により回収部６０を取り外すことができないようになっている。一方で、硬貨詰まり等のエラーが発生した場合には、回収部ロック機構９０に回収部６０のロックを解除する旨の指令を与えることにより、回収部６０を内側筐体１０から取り外すことができるようになっている。
【００５９】
次に、本実施の形態の貨幣処理機１から貨幣を回収する際の回収処理について説明する。なお、例として硬貨処理装置２から硬貨を回収する際の動作について説明する。また、以下において、内側筐体１０を収容位置に位置させたまま硬貨の回収処理を行う場合と、内側筐体１０を第１引出位置まで引き出した後に硬貨の回収処理を行う場合とに分けて説明する。
【００６０】
内側筐体１０を収容位置に位置させたまま硬貨の回収処理を行う場合には、操作者は、まず、鍵を回すことにより硬貨処理装置２の機能を登録モードから管理モードに切り替える。なお、このとき、ロック機構７２による内側筐体１０のロックが解除され、当該内側筐体１０は第１引出位置まで引き出し可能となる。次に、操作者は、回収部６０の取付部６６を内側筐体１０の被取付部３８に取り付ける。このときに、硬貨処理装置２に設けられた装着検知部３９により、回収部６０が内側筐体１０に取り付けられたことが検知される。また、このとき、回収部６０に取り付けられたＩＣタグ６８に書き込まれている情報が読取部３９ａにより読み取られ、制御部５０に送られる。具体的には、内側筐体１０に取り付けられた回収部６０に適合する硬貨処理装置２の機種の情報と、回収部６０に収納されるべき硬貨の金種とが読み取られるようになっている。そして、内側筐体１０に取り付けられた回収部６０が硬貨処理装置２に適合するものであるか否かが検知される。なお、被取付部３８が手前側にスライド可能となるよう構成されている場合には、被取付部３８を手前側に引き出してから回収部６０の取付部６６を内側筐体１０の被取付部３８に取り付けた後、被取付部３８を元の位置（すなわち、硬貨払出部３６に設けられた貫通孔３６ａの真下）に戻すようにしてもよい。
【００６１】
そして、読取部３９ａによりＩＣタグ６８から読み取られた情報に基づいて、内側筐体１０に取り付けられた回収部６０が硬貨処理装置２に適合する回収部６０であること、および回収部６０に収納すべき金種が検知されると、硬貨処理装置２は、硬貨の回収処理の指令を受け付けるようになる。次に、操作者は、硬貨払出部３６に取り付けられた蓋部材３６ｂを取り外すことにより、貫通孔３６ａを露出させる。そして、硬貨の回収処理を行う旨の指令を操作表示部５２やＰＯＳレジスタ等によって硬貨処理装置２に与えることにより、各硬貨収納部３０ａ〜３０ｆから硬貨を繰り出させて回収部６０に送るようにする。
【００６２】
なお、内側筐体１０に取り付けられた回収部６０が硬貨処理装置２に適合する回収部６０でないことが検知された場合には、硬貨処理装置２は、操作表示部５２やスピーカーによりこのことを操作者に報知するようになっている。また、上述したように、硬貨が回収部６０に収納されている間は、ロック機構７２により内側筐体１０がロックされるため、内側筐体１０を外側筐体１ａに対して移動させることができないようになっている。
【００６３】
そして、回収部６０に収納されるべき硬貨がすべて収納された後に、操作者は、内側筐体１０から回収部６０を取り外す。このようにして、硬貨処理装置２からの硬貨の回収処理が終了する。
【００６４】
次に、内側筐体１０を第１引出位置まで引き出した後に硬貨の回収処理を行う場合について説明する。
【００６５】
まず、操作者は、鍵を用いて硬貨処理装置２の機能を登録モードから管理モードに切り替える。このことにより、ロック機構７２による内側筐体１０のロックが解除され、内側筐体１０を外側筐体１ａから第１引出位置まで引き出すことができるようになる。次に、内側筐体１０を第１引出位置まで引き出し、その後、回収部６０を内側筐体１０に取り付ける。このときに、硬貨処理装置２に設けられた装着検知部３９により、回収部６０が内側筐体１０に取り付けられたことが検知される。また、このとき、読取部３９ａによりＩＣタグ６８から読み取られた情報に基づいて、内側筐体１０に取り付けられた回収部６０が硬貨処理装置２に適合する回収部６０であることと、回収部６０に収納すべき硬貨の金種とが検知されると、硬貨処理装置２は、硬貨の回収処理の指令を受け付けることができるようになる。なお、被取付部３８が手前側にスライド可能となるよう構成されている場合には、被取付部３８を手前側に引き出してから回収部６０の取付部６６を内側筐体１０の被取付部３８に取り付けた後、被取付部３８を元の位置（すなわち、硬貨払出部３６に設けられた貫通孔３６ａの真下）に戻すようにしてもよい。
【００６６】
次に、操作者は、硬貨払出部３６に取り付けられた蓋部材３６ｂを取り外すことにより貫通孔３６ａを露出させる。その後、操作表示部５２やＰＯＳレジスタ等により、硬貨の回収処理を行う旨の指令を硬貨処理装置２に与え、各硬貨収納部３０ａ〜３０ｆから硬貨を繰り出させて回収部６０に硬貨を送るようにする。上述したように、硬貨が回収部６０に収納されている間は、ロック機構７２により内側筐体１０がロックされるため、内側筐体１０を外側筐体１ａに対して移動させることができないようになっている。
【００６７】
そして、回収部６０に収納されるべき硬貨がすべて収納された後に、操作者は、内側筐体１０から回収部６０を取り外す。このようにして、硬貨処理装置２からの硬貨の回収処理が終了する。
【００６８】
また、図７に示すように、本実施の形態による他の例の硬貨処理装置２は、第２規制手段８０を有しており、当該第２規制手段８０は、回収部６０が内側筐体１０に装着されていることが装着検知部３９により検知されると、引出部として機能する内側筐体１０の動作を規制するようになっている。具体的には、第２規制手段８０は、ロック機構８２を有しており、当該ロック機構８２は、回収部６０が内側筐体１０に装着されていることが装着検知部３９により検知されたときに内側筐体１０を外側筐体１ａに対してロックするようになっている。このため、本実施の形態による他の例の硬貨処理装置２においては、硬貨の回収処理を行っているか否かにかかわらず（すなわち、回収部６０に硬貨を収納させているか否かにかかわらず）、外側筐体１ａに対して内側筐体１０を移動させることができなくなる。この場合であっても、硬貨の回収処理が行われるときに、各硬貨収納部３０ａ〜３０ｆから硬貨が抜き取られるような不正行為が行われたり各硬貨収納部３０ａ〜３０ｆから硬貨が抜き取られることにより違算が発生したりすることを防止することができる。なお、上述したロック機構７２と同様に、ロック機構８２による内側筐体１０のロックは、鍵やリモコン等の外部装置からの指令により解除することができるようになっている。
【００６９】
また、図７に示す他の例の硬貨処理装置２において、第１引出位置まで内側筐体１０を引き出してから硬貨の回収処理を行う際には、回収されるべき硬貨が回収部６０に収納された後、回収部６０が取り外されたことが装着検知部３９により検知されたときに、ロック機構８２によるロックが自動的に解除され、内側筐体１０を収容位置まで戻すことができるようになっていてもよい。この場合には、回収部６０を取り外した後に、鍵やリモコン等の外部装置により内側筐体１０のロックを解除する手間が省くことができるようになる。また、このように内側筐体１０のロックを自動で解除した場合であっても、硬貨の回収処理を行うときに硬貨処理装置２は管理モードにあり、このとき内側筐体１０を第１引出位置よりも更に引き出すことができないようになっている。このことにより、各硬貨収納部３０ａ〜３０ｆに収納された硬貨に対する不正行為等が行われたり各硬貨収納部３０ａ〜３０ｆの内部から硬貨が抜き取られることにより違算が発生したりすることを防ぐことができるようになる。
【００７０】
なお、図７に示す他の例の硬貨処理装置２においても、エラー検知部（図示せず）により硬貨詰まり等のエラーが発生したことが検知された場合には、鍵およびリモコン等の外部装置による、ロック機構８２による内側筐体１０のロックを解除する旨の指令を受けつけるようになっている。
【００７１】
また、図７に示す他の例の硬貨処理装置２に収納されている硬貨を回収部６０に収納させている間は、回収部ロック機構９０により回収部６０を取り外すことができないようになっている。一方で、硬貨詰まり等のエラーが発生した場合には、図７に示す他の例の硬貨処理装置２に回収部６０のロックを解除する旨の指令を与えることにより、回収部６０を内側筐体１０から取り外すことができるようになっている。
【００７２】
また、これまでは、貨幣処理機１における硬貨の回収処理について、主に貨幣処理機１から回収される貨幣が硬貨である場合について説明したが、貨幣処理機１により処理される貨幣が紙幣であるときにも、上述した硬貨処理装置２における硬貨の回収処理と同様の原理を適用することができる。すなわち、紙幣処理装置３に硬貨処理装置２の錠部２ａに相当する錠部が設けられ、紙幣払出口に紙幣の回収を行う紙幣回収部等の回収部が取り付け可能になっており、第１規制手段７０または第２規制手段８０が設定されていれば、紙幣処理装置３からの紙幣の回収処理を行う際にも、上述した硬貨処理装置２における硬貨の回収処理と同様の原理を適用することができる。
【００７３】
以上のような構成からなる本実施の形態の貨幣処理機１によれば、硬貨を収納する各硬貨収納部３０ａ〜３０ｆが設けられ、外側筐体１ａから引き出し可能となっている内側筐体１０（引出部）と、内側筐体１０に取り付け可能となっており、回収されるべき硬貨が収納される回収部６０と、回収部６０に硬貨を収納させている間は引出部としての内側筐体１０の動作を規制する第１規制手段７０とを備えているため、回収部６０に硬貨を収納させている間は内側筐体１０の動作を規制することにより、内側筐体１０に設けられた各硬貨収納部３０ａ〜３０ｆから硬貨が抜き取られるような不正行為が行われたり各硬貨収納部３０ａ〜３０ｆの内部から硬貨が抜き取られることにより違算が発生したりすることを防止することができる。また、第１規制手段７０は、内側筐体１０を外側筐体１ａの内部でロックするロック機構７２を含んでいるため、第１規制手段７０により内側筐体１０を外側筐体１ａの内部でロックすることができる。
【００７４】
また、本実施の形態の貨幣処理機１においては、内側筐体１０は、外側筐体１ａの内部に完全に収容された位置である収容位置（具体的には、図５（ａ）参照）、外側筐体１ａの外部に途中まで引き出され、外側筐体１ａの外部から各硬貨収納部３０ａ〜３０ｆにアクセスすることができない第１引出位置（具体的には、図５（ｂ）参照）、および第１引出位置から更に外側筐体１ａの外部に引き出され、外側筐体１ａの外部から各硬貨収納部３０ａ〜３０ｆにアクセスすることが可能な第２引出位置（具体的には、図５（ｃ）参照）の間で移動可能となっており、第１規制手段７０は、内側筐体１０が第１引出位置に位置しているときに当該第１引出位置から移動することを規制するようになっている。このことにより、内側筐体１０を第１引出位置まで引き出して硬貨の回収処理等を行う際に内側筐体１０が更に引き出されてしまい、内側筐体１０に設けられた各硬貨収納部３０ａ〜３０ｆから硬貨が抜き取られるような不正行為が行われたり各硬貨収納部３０ａ〜３０ｆの内部から硬貨が抜き取られることにより違算が発生したりすることを防止することができるようになる。
【００７５】
また、本実施の形態の貨幣処理機１は、回収部６０が内側筐体１０に装着されているか否かを検知する装着検知部３９を更に備えている。このことにより、装着検知部３９により検知された情報を活用することによって操作者に回収部６０が内側筐体１０に装着されているか否かを報知することができるようになる。また、第１規制手段７０は、回収部６０が内側筐体１０に装着されていることが装着検知部３９により検知された場合に、回収部６０に硬貨を収納させている間は内側筐体１０の動作を規制するようになっている。このことにより、回収部６０に硬貨を収納させている間に内側筐体１０が引き出されてしまい、内側筐体１０に設けられた各硬貨収納部３０ａ〜３０ｆから硬貨が抜き取られるような不正行為が行われたり各硬貨収納部３０ａ〜３０ｆの内部から硬貨が抜き取られることにより違算が発生したりすることを防止することができるようになる。また、回収部６０に硬貨を収納させている途中でこれらの硬貨が回収部６０に収納されず、床等にこぼれ落ちてしまうことを防止することができるようになる。
【００７６】
また、本実施の形態による他の例の貨幣処理機１においては、硬貨を収納する各硬貨収納部３０ａ〜３０ｆが設けられ、外側筐体１ａから引き出し可能となっている内側筐体１０（引出部）と、内側筐体１０に取り付け可能となっており、回収されるべき硬貨が収納される回収部６０と、回収部６０が内側筐体１０に装着されているか否かを検知する装着検知部３９と、回収部６０が内側筐体１０に装着されていることが装着検知部３９により検知されると内側筐体１０の動作を規制する第２規制手段８０と、を備えている。このことにより、回収部６０が内側筐体１０に装着されている間は内側筐体１０に設けられた各硬貨収納部３０ａ〜３０ｆから硬貨が抜き取られるような不正行為が行われたり各硬貨収納部３０ａ〜３０ｆの内部から硬貨が抜き取られることにより違算が発生したりすることを防止することができる。
【００７７】
なお、本実施の形態による貨幣処理機１は、上述したような態様に限定されることはなく、様々な変更を加えることができる。
【００７８】
例えば、貨幣処理機１に紙幣処理装置３が設けられておらず、硬貨処理装置２のみが設けられていてもよい。この場合であっても、回収部６０に硬貨を収納させている間に内側筐体１０の動作を規制することにより、回収部６０に硬貨を収納させている途中で内側筐体１０に設けられた各硬貨収納部３０ａ〜３０ｆから硬貨が抜き取られるような不正行為が行われたり各硬貨収納部３０ａ〜３０ｆの内部から硬貨が抜き取られることにより違算が発生したりすることを防止することができる。
【００７９】
また、硬貨処理装置２の硬貨払出部３６に設けられた貫通孔３６ａおよび蓋部材３６ｂの形状は、略正円形状に限られることはない。各硬貨収納部３０ａ〜３０ｆに収納された硬貨を貫通孔を通して回収部６０に送ることができるような大きさを有していれば、硬貨払出部３６に設けられる貫通孔は略半円形状であってもよいし、楕円形状であってもよいし、多角形状であってもよい。
【００８０】
また、貫通孔３６ａを露出させるときの態様は、着脱自在に設けられた蓋部材３６ｂを取り外すような態様に限定されることはない。例えば、蓋部材３６ｂを貫通孔３６ａに対してスライド可能となるよう硬貨払出部３６に設けるようにしてもよい。この場合であっても、蓋部材３６ｂが、貫通孔３６ａを塞ぐ第１位置と、貫通孔３６ａを露出させる第２位置との間でスライド可能となっていれば、硬貨の回収処理を行う際に貫通孔３６ａを通して硬貨を回収部６０に送ることができるようになる。なお、この場合には、蓋部材３６ｂを取り外す必要がなくなるため、操作者が誤って蓋部材３６ｂを紛失してしまうことを防ぐことができるようになる。
【００８１】
また、上述のように蓋部材３６ｂを貫通孔３６ａに対してスライド可能となるよう硬貨払出部３６に設ける場合には、回収部６０が硬貨処理装置２に取り付けられたときに蓋部材３６ｂがスライドし、貫通孔３６ａが露出するようになっていてもよい。この場合には、硬貨の回収処理を行う際に、操作者が蓋部材３６ｂをスライドさせる手間を省略することができる。
【００８２】
また、リモコン等の外部装置に、ロック機構７２による内側筐体１０のロックを解除するための開錠ボタン等が２つ設けられており、１つ目の開錠ボタンを押したときに内側筐体１０を収容位置から第１引出位置まで引き出せるようになり、２つ目の開錠ボタンを押したときに内側筐体１０を収容位置から第２引出位置まで引き出せるようになっていてもよい。
【００８３】
また、上述した貨幣処理機１における回収処理の方法は、回収部として機能する回収カセットを装着して貨幣や有価媒体を回収する貨幣処理機や有価媒体処理装置に用いられるようになっていてもよい。この場合であっても、本発明の原理を適用することができ、よって上述した貨幣処理機１と同等の効果を奏することができるようになる。
【符号の説明】
【００８４】
１      貨幣処理機
１ａ    外側筐体
２      硬貨処理装置
２ａ    錠部
２ｂ    鍵穴
３      紙幣処理装置
１０    内側筐体
１２    硬貨受入部
１３    残留検知センサ
１４    繰出部
１４ａ  繰出ベルト
１６    入金搬送部
１６ａ  循環ベルト
１６ｂ  プーリ
１６ｃ  搬送面
１８    識別部
２２    金種別分岐部
２３    通過検知センサ
２４    リジェクト部
２４ａ  リジェクトシュート
２５    ゲート部材
２５ａ  軸
２５ｂ  上面
２６    リジェクト口
３０ａ〜３０ｆ  硬貨収納部
３０ｍ  硬貨収納領域
３４    硬貨案内溝
３６    硬貨払出部
３６ａ  貫通孔
３６ｂ  蓋部材
３８    被取付部
３９    装着検知部
３９ａ  読取部
４０    繰出部
５０    制御部
５２    操作表示部
５４    記憶部
５６    印字部
５８    通信インターフェース部
６０    回収部
６２    枠部
６２ａ  取手
６４    袋部
６６    取付部
６８    ＩＣタグ
７０    第１規制手段
７２    ロック機構
８０    第２規制手段
８２    ロック機構
９０  回収部ロック機構
【図１】
2018112823.tif 000003
【図２】
2018112823.tif 000004
【図３】
2018112823.tif 000005
【図４】
2018112823.tif 000006
【図５】
2018112823.tif 000007
【図６】
2018112823.tif 000008
【図７】
2018112823.tif 000009